Podtech/llm-jp-corpus-v4-ja_patent huggingface dataset:
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
（ｉ）３個のＣＤＲを含むＶＨ鎖と、（ｉｉ）３個のＣＤＲを含むＶＬ鎖を含む抗ＣＤ４０抗体であって、
ＶＨＣＤＲ＃１が、
【化１】
2019523221.tif 000001
のアミノ酸配列を有し、
ＶＨＣＤＲ＃２が、
【化２】
2019523221.tif 000002
のアミノ酸配列を有し、
ＶＨＣＤＲ＃３が、
【化３】
2019523221.tif 000003
のアミノ酸配列を有し、
ＶＬＣＤＲ＃１が、
【化４】
2019523221.tif 000004
のアミノ酸配列を有し、
ＶＬＣＤＲ＃２が、
【化５】
2019523221.tif 000005
のアミノ酸配列を有し、及び
ＶＬＣＤＲ＃３が、
【化６】
2019523221.tif 000006
のアミノ酸配列を有する、前記抗ＣＤ４０抗体。
【請求項２】
ヒト化型である、請求項１に記載の抗ＣＤ４０抗体。
【請求項３】
配列番号１１７の配列に対応するＶＨ鎖と、配列番号１７０の配列に対応するＶＬ鎖を含む、請求項１又は２に記載の抗ＣＤ４０抗体。
【請求項４】
ＩｇＧである、請求項１〜３のいずれか一項に記載の抗ＣＤ４０抗体。
【請求項５】
ＩｇＧ１であり、アミノ酸置換Ｖ２７３Ｅ又はＶ２７３Ｙを含む変異型ＣＨ２領域を含む、請求項４に記載の抗ＣＤ４０抗体。
【請求項６】
ＩｇＧ１であり、アミノ酸置換Ｄ３５６Ｅ及びＬ３５８Ｍを含む変異型Ｆｃ領域を含む、請求項４又は５に記載の抗ＣＤ４０抗体。
【請求項７】
κ軽鎖定常領域を含む、請求項４〜６のいずれか一項に記載の抗ＣＤ４０抗体。
【請求項８】
配列番号１３０又は１３１の重鎖配列と、配列番号１４０の軽鎖配列を有する、請求項１、２、４、６及び７のいずれか一項に記載の抗ＣＤ４０抗体。
【請求項９】
配列番号１３２又は１３３の重鎖配列と、配列番号１４１の軽鎖配列を有する、請求項１〜７のいずれか一項に記載の抗ＣＤ４０抗体。
【請求項１０】
配列番号１３２又は１３３の重鎖配列と、配列番号１４２の軽鎖配列を有する、請求項１、２及び４〜７のいずれか一項に記載の抗ＣＤ４０抗体。
【請求項１１】
請求項１〜１０のいずれか一項に記載の抗ＣＤ４０抗体と、薬学的に許容される担体を含有する医薬組成物。
【請求項１２】
がんの治療において使用するための請求項１〜１０のいずれか一項に記載の抗体。
【請求項１３】
請求項１〜１０のいずれか一項に記載の抗ＣＤ４０抗体をコードするヌクレオチド配列を含む核酸。
【請求項１４】
請求項１３に記載の核酸を含むベクター。
【請求項１５】
請求項１４に記載のベクターで形質転換された真核宿主細胞。
【請求項１６】
請求項１３に記載の核酸を発現するように操作された真核宿主細胞。
【請求項１７】
哺乳動物細胞である、請求項１５又は１６に記載の真核宿主細胞。
【請求項１８】
抗ＣＤ４０抗体の作製方法であって、（ａ）請求項１５〜１７のいずれか一項に記載の宿主細胞を培養する工程と、（ｂ）前記抗体を回収する工程を含む前記方法。
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
磁気粒子イメージング（ＭＰＩ）システムであって、
磁場を生成するように構成された磁石であって、軸及び中心を有する前記磁場内のフィールドフリー線を有する磁石と、
前記磁石に組み込まれた磁束帰還路であって、前記フィールドフリー線の概ね中心の第１磁束経路は第１リラクタンスを有し、前記フィールドフリー線の中心から離れた第２磁束経路は第２リラクタンスを有し、前記第２リラクタンスは前記第１リラクタンスよりも低い磁束帰還路とを備える、
磁気粒子イメージングシステム。
【請求項２】
前記磁束帰還路は、端点を有するポールピースを備え、前記端点は段差を含む、
請求項１に記載の磁気粒子イメージングシステム。
【請求項３】
前記磁束帰還路は複数の層をさらに備え、前記第１磁束経路は第１層を通過し、前記第２磁束経路は第２層を通過し、前記第１層及び前記第２層は前記段差を形成する、
請求項２に記載の磁気粒子イメージングシステム。
【請求項４】
前記磁束帰還路は、端点を有するポールピースを備え、前記端点が湾曲しているか又はなめらかに変化する、請求項１に記載の磁気粒子イメージングシステム。
【請求項５】
前記磁束帰還路は、テーパを有するポールピースを備え、当該テーパは当該テーパの付近および前記フィールドフリー線の近傍の磁束密度を増加させる、
請求項１に記載の磁気粒子イメージングシステム。
【請求項６】
前記磁束帰還路は、
ポールピースと、
前記ポールピースよりも前記フィールドフリー線から離れて位置する少なくとも１つの磁束帰還路アームとを備える、
請求項１に記載の磁気粒子イメージングシステム。
【請求項７】
前記少なくとも１つの磁束帰還路アームは、イメージング容積中の前記フィールドフリー線に向けて角度がつけられている、
請求項６に記載の磁気粒子イメージングシステム。
【請求項８】
前記磁束帰還路が前記第１磁束経路の近傍における材料のリラクタンスよりも低いリラクタンスの材料を前記第２磁束経路の近傍において含むことに少なくとも部分的に起因して、前記第２リラクタンスは前記第１リラクタンスよりも低い、
請求項１に記載の磁気粒子イメージングシステム。
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
コネクタ装置であって、
導入器、ブジーまたはスタイレットを収容するための開口を有する本体部と、
チューブ係合部と、
を備え、
前記導入器、ブジー又はスタイレットが、前記本体部の前記開口内に配置され、前記チューブ係合部が、使用中に、チューブまたはチューブコネクタ部に係合する、
ことを特徴とするコネクタ装置。
【請求項２】
前記導入器、ブジー又はスタイレットを収容する導管又は通路に通じる、前記コネクタ装置の長さ又は側面に沿って、内部に向かうチャネルを更に備えたことを特徴とする、請求項１記載のコネクタ装置。
【請求項３】
前記チューブが、気管内チューブであることを特徴とする、請求項１又は２記載のコネクタ装置。
【請求項４】
前記チューブ係合部が、前記チューブ又はチューブコネクタ部の端部に係合することを特徴とする、請求項１〜３いずれか１項記載のコネクタ装置。
【請求項５】
前記コネクタ装置が前記チューブ又はチューブコネクタ部に圧縮嵌合又は締まり嵌めにより係合する、及び／又は前記導入器、ブジー又はスタイレットが圧縮嵌合又は締まり嵌めにより前記コネクタ装置内に／により保持される、請求項１〜４いずれか１項記載のコネクタ装置。
【請求項６】
前記チューブ係合部と前記チューブ又は前記チューブコネクタ部とを係合させる前又は後に、前記導入器、ブジー又はスタイレットが、その回転軸周り及び／又はその長手方向軸に沿って、位置的に調整可能であることを特徴とする、請求項１〜５いずれか１項記載のコネクタ装置。
【請求項７】
前記チューブ係合部が、前記チューブの端部又は前記チューブコネクタ部の上部又は内部に、もしくはその上部と内部の両方に、係合又は嵌合することを特徴とする、請求項１〜６いずれか１項記載のコネクタ装置。
【請求項８】
前記コネクタ装置内又は該装置内を通してガスを供給、又は前記コネクタ装置からガスを排出するチューブを接続するためのポートを更に備えたことを特徴とする、請求項１〜７いずれか１項記載のコネクタ装置。
【請求項９】
前記コネクタ装置を貫通する１つ以上の個別の通路、又は該装置内に１つ以上のチャンバーを形成する、１つ以上の中隔又は仕切りを更に備えたことを特徴とする、請求項１〜８いずれか１項記載のコネクタ装置。
【請求項１０】
前記コネクタ装置の前記導入器、前記ブジー、前記スタイレット、前記チューブ又は前記チューブコネクタ部への係合、及び／又は前記導入器、前記ブジー、前記スタイレット、前記チューブ又は前記チューブコネクタ部からの前記コネクタ装置の取り外しを支援する少なくとも1つの把手を更に備えたことを特徴とする、請求項１〜９いずれか１項記載のコネクタ装置。
【請求項１１】
前記把手が、ループ、ハンドル、フランジ、突起、及び／又はテクスチャ−加工面を含むことを特徴とする、請求項１０記載のコネクタ装置。
【請求項１２】
前記コネクタ装置が、前記導入器、ブジー又はスタイレットと一体化されている、もしくは前記コネクタ装置が、前記導入器、ブジー又はスタイレットと一体モールド成形、あるいは前記導入器、ブジー又はスタイレットにモールド成形、粘着、又は接合されていることを特徴とする、請求項１〜１１いずれか１項記載のコネクタ装置。
【請求項１３】
前記チューブ係合部及び／又は前記本体部が先細り又は円錐台形であることを特徴とする、請求項１記載のコネクタ装置。
【請求項１４】
前記導入器を前記チャネル又は開口に収容する前に、前記チャネルが、前記コネクタの外周から前記開口まで幅が狭まることを特徴とする、請求項１〜１３いずれか１項記載のコネクタ装置。
【請求項１５】
前記開口に直接隣接したチャネルが前記開口より狭いことを特徴とする、請求項１〜１４いずれか１項記載のコネクタ装置。
【請求項１６】
前記チューブ又はチューブコネクタ部と係合するときに、前記導入器、ブジー又はスタイが、前記本体部及び／又は前記チューブ係合部内の圧縮により前記開口内に把持されることを特徴とする、請求項１〜１５いずれか１項記載のコネクタ装置。
【請求項１７】
前記チューブ又はチューブコネクタ部に挿入されたときの前記コネクタの圧縮により、前記コネクタ装置が、前記導入器、ブジー又はスタイレットを前記チューブ又はチューブコネクタ部に対して所定の位置に把持することを特徴とする、請求項１〜１６いずれか１項記載のコネクタ装置。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
自動二輪車（１）であって、
前部（２）、尾部（４）、および前記前部（２）と前記尾部（４）との間に構成された中央部（３）を備える自動二輪車本体（２、３、４）と、
前輪（５）および後輪（６）を備える、前記自動二輪車本体（２、３、４）に拘束された少なくとも二つの車輪（５、６）と、
前記自動二輪車本体（２、３、４）に拘束され、前記車輪（５、６）の少なくとも一つに動作可能なように接続された駆動エンジン（７）と、
前記自動二輪車本体（２、３、４）に固定され、前記自動二輪車（１）の後ろに続く車両によって見ることができるように配置され、向けられた少なくとも一つの光学非常信号装置（６４）と、
前記光学非常信号装置（６４）に動作可能なように接続された前記光学非常信号装置（６４）の電子制御ユニット（１００）と、を備え、
前記自動二輪車（１）は、前記電子制御ユニット（１００）に接続された、または少なくとも部分的に一体化された、前記自動二輪車（１）の前記車輪（５、６）の少なくとも一つのグリップの喪失および／またはグリップの喪失のおそれを検出するように調整された検出システム（１０１、１０２）を備え、
前記電子制御ユニット（１００）は、前記検出システム（１０１、１０２）がグリップの喪失および／またはグリップの喪失のおそれを検出した場合、前記光学非常信号装置（６４）を作動させるように調整され、構成されている、ことを特徴とする、
自動二輪車（１）。
【請求項２】
前記電子制御ユニット（１００）は、断続的に前記光学非常信号装置（６４）を作動させるようなものである、請求項１に記載の自動二輪車（１）。
【請求項３】
前記光学非常信号装置（６４）の前記断続的な点灯は、消灯持続時間と異なる点灯持続時間を備えるデューティサイクルを有する、請求項２に記載の自動二輪車（１）。
【請求項４】
前記点灯持続時間は、前記消灯持続時間の倍または半分である、請求項３に記載の自動二輪車（１）。
【請求項５】
前記電子制御ユニット（１００）は、前記自動二輪車（１）の速度を第１の閾値速度と比較し、前記自動二輪車（１）の前記速度が前記第１の閾値速度より高い場合のみ、前記光学非常信号装置（６４）を作動させるように調整され、構成される、請求項１から請求項４のいずれか一項に記載の自動二輪車（１）。
【請求項６】
前記第１の閾値速度は、５ｋｍ／ｈ以上である、請求項５に記載の自動二輪車（１）。
【請求項７】
前記自動二輪車（１）は、二つの後部方向指示器（６４）を備え、前記光学非常信号装置は、前記後部方向指示器（６４）を備える、請求項１から請求項６のいずれか一項に記載の自動二輪車（１）。
【請求項８】
前記検出システム（１０１、１０２）は、ＡＢＳ制動システム（１０１）を備える、請求項１から請求項７のいずれか一項に記載の自動二輪車（１）。
【請求項９】
前記検出システム（１０１、１０２）は、トラクション制御システムＴＣＳ（１０２）を備える、請求項１から請求項８のいずれか一項に記載の自動二輪車（１）。
【請求項１０】
前記光学非常信号装置（６４）の作動後、前記電子制御ユニット（１００）は、少なくとも一つの論理的非動作状態が満たされたと検出した場合、前記光学非常信号装置（６４）を自動的に止めるように調整され、構成される、請求項１から請求項９のいずれか一項に記載の自動二輪車（１）。
【請求項１１】
前記論理状態は、前記自動二輪車（１）の前記グリップの喪失および／または前記グリップの喪失のおそれの中断状態を代表する論理的体系化状態である、請求項１０に記載の自動二輪車（１）。
【請求項１２】
前記論理的非動作状態は、前記グリップの喪失および／または前記グリップの喪失のおそれの前記中断からある時間間隔の経過後、満たされる、請求項１１に記載の自動二輪車（１）。
【請求項１３】
前記時間間隔は、３秒以上である、請求項１２に記載の自動二輪車（１）。
【手続補正書】
【提出日】令和2年7月14日(2020.7.14)
【手続補正１】
【補正対象書類名】明細書
【補正対象項目名】００９５
【補正方法】変更
【補正の内容】
【００９５】
ロッキング解除レバー４４の枢動運動は、ロッキングアーム４３の摺動運動を引き起こす。ロッキングアーム４３およびロッキング解除レバー４４は、ロック位置とロック解除位置との間で動くように構成される。ロック位置では、ロッキングアーム４３は、ボタン４２に係合される。ロッキングアーム４３は、ボタン４２がロック位置において押されることを阻止する。ロック解除位置において、ロッキングアーム４３は、ボタン４２から係合解除される。ロッキング解除レバー４４は、第２の端部で、接触トリガ１４に係合するように配置される。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
ガス状微小塞栓を減少させるためのシステムであって、
流体源と、
前記流体源に流体接続され、前記流体源からの流体を酸素化するように構成された人工肺と、
前記人工肺に配置された非ガス交換シャントチャネルと、
前記非ガス交換シャントチャネルと流体接続され、自身の孔径より大きい直径を有するガス状微小塞栓を除去するフィルタと、
前記人工肺および前記非ガス交換シャントチャネルに流体接続された出口と、
前記人工肺、前記非ガス交換シャントチャネル、または、これら人工肺と非ガス交換シャントチャネルとの組み合わせを通る流体の流量を制御するように構成されたコントローラと
を備えたシステム。
【請求項２】
前記流体源に流体接続され、前記流体源からの流体の一部を除去するように構成されたフローダイバータをさらに備えた、請求項１に記載のシステム。
【請求項３】
前記流体源に流体接続され、前記流体源から前記フローダイバータへの流体の流量を制御するように構成された流入流コントローラと、前記人工肺に流体接続され、前記人工肺からの流体の流量を制御するように構成された流出流コントローラとをさらに備えた、請求項２に記載のシステム。
【請求項４】
前記人工肺が低大気圧を有するように構成される、請求項１〜３のいずれか一項に記載のシステム。
【請求項５】
前記非ガス交換シャントチャネルは、前記人工肺内のフィルタ付きシャント流チャネルであり、前記フィルタ付きシャント流チャネルを通る流量は任意に調整可能である、請求項１〜４のいずれか一項に記載のシステム。
【請求項６】
前記人工肺が、膜型人工肺、拡散膜型人工肺、中空糸微多孔膜型人工肺、または密閉されたハウジングを有する微多孔膜型人工肺である、請求項１〜５のいずれか一項に記載のシステム。
【請求項７】
前記流体が、血液、または代用血液、人工血液、血漿,アルブミン,血小板,血漿濃縮物などの血液製剤、食塩水,乳酸リンゲル液,ノルモゾル,プラズマライトなどの晶質液、ヘタスターチ、あるいはこれらの２つ以上を含む組み合わせである、請求項１〜６のいずれか一項に記載のシステム。
【請求項８】
前記人工肺は、スイープガス入口およびスイープガス出口を介してスイープガスリザーバに流体接続されており、
前記人工肺のハウジングがスイープガス入口マニホールドまたはスイープガス出口マニホールド、あるいはその両方における陽圧リリーフ弁を含み、スイープガス流を前記人工肺におけるファイバ束の一部に制限することから生じる陽圧を軽減する請求項１〜７のいずれか一項に記載のシステム。
【請求項９】
前記人工肺は２つ以上の隔室を含み、
各隔室内のスイープガスの流れおよび／または各隔室内の血液の流れは独立して調整可能である、請求項１〜８のいずれか一項に記載のシステム。
【請求項１０】
前記システムは２つ以上の人工肺を含み、
各人工肺は、スイープガス入口およびスイープガス出口を介してスイープガスリザーバに流体接続し、
各人工肺は前記流体源からの流体を受け取り、各人工肺への前記スイープガスの流れは独立して調整可能である、かつ／または
各人工肺は、血液入口および血液出口を介して血液リザーバまたは供給源に流体接続し、各人工肺への血液の流れは独立して調整可能である、請求項１〜８のいずれか一項に記載のシステム。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
食品を充填中にパッケージ（２００）を支持するための支持プレート（１００、１５０）であって、
前記パッケージ（２００）の上部（２１２、２１６）を受けるための空洞（１１２、１６２）を画定する壁（１０４、１５４）であって、
前記壁（１０４、１５４）は前記パッケージ（２００）の前記上部（２１２、２１６）を補完する傾斜内面（１０８、１５８）を有し、
前記壁（１０４、１５４）に平行方向に前記壁（１０４、１５４）から離れて延在し、
前記パッケージ（２００）の凹上面（２１６）および凹面（２０８）を含む前記上部を補完し、前記上部に当接するための、支持突起部（１１６、１６６）とを含む、支持プレート（１００、１５０）。
【請求項２】
１対のクリップ部材（１２０、１７０）および連結部（１２８、１７８）をさらに含み、前記クリップ部材（１２０、１７０）は前記連結部（１２８、１７８）の対向する端部に配置される、請求項１に記載の支持プレート（１００、１５０）。
【請求項３】
各クリップ部材（１２０、１７０）はクリップ凹部（１７４）を含む、請求項２に記載の支持プレート（１００、１５０）。
【請求項４】
前記連結部（１２８、１７８）の長手方向側面上に把持部材（１３２、１８２）を含む、請求項２または３に記載の支持プレート（１００、１５０）。
【請求項５】
前記支持プレート（１００、１５０）は、プラスチック、好ましくはポリオキシメチレン（ＰＯＭ）またはポリオキシエチレンから射出成形される、請求項１〜４のいずれか一項に記載の支持プレート（１００、１５０）。
【請求項６】
充填機（４００）に使用するためのシステム（３２０）であって、
パッケージガイド（３００）と、
食品を充填中にパッケージ（２００）を支持するための請求項１〜５のいずれか一項に記載の支持プレート（１００、１５０）とを含み、
前記支持プレート（１００、１５０）は前記パッケージガイド（３００）上に装着され、前記パッケージガイド（３００）は前記パッケージ（２００）を受けるように構成される、システム（３２０）。
【請求項７】
前記パッケージガイド（３００）の対向する外面上に配置された複数の支持リッジ（３０４）をさらに含み、各支持リッジ（３０４）は、前記支持プレート（１００、１５０）の前記クリップ凹部（１７４）によって受けることができる、請求項６に記載のシステム（３２０）。
【請求項８】
前記パッケージガイド（３００）は斜角端部（３１２）を含む、請求項６または７に記載のシステム（３２０）。
【請求項９】
前記パッケージガイド（３００）は観察穴（３０８）を含む、請求項６〜８のいずれか一項に記載のシステム（３２０）。
【請求項１０】
前記パッケージガイド（３００）は金属から作成される、請求項６〜９のいずれか一項に記載のシステム（３２０）。
【請求項１１】
回転支持部（４０４）と、
前記回転支持部（４０４）上に装着された請求項６〜１０のいずれか一項に記載の複数のシステム（３２０）と、
前記パッケージ（２００）が各システム（３２０）の前記支持プレート（１００、１５０）によって支持されているとき、食品をパッケージ（２００）に充填するための充填ステーションとを含む、充填機（４００）。
【請求項１２】
好ましくは紫外線ランプ、ＨＥＰＡ（高性能微粒子空気）清浄器、および過酸化水素噴霧器からなる群から選択される滅菌装置（４０８）をさらに含む、請求項１１に記載の充填機（４００）。
【請求項１３】
パッケージを前記複数のシステム（３２０）に提供するためのパッケージ供給装置をさらに含む、請求項１１または１２に記載の充填機（４００）。
【請求項１４】
前記食品を充填後に前記パッケージ（２００）の前記底面を封止するための封止ステーションをさらに含む、請求項１１〜１２のいずれか一項に記載の充填機（４００）。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
−調製タンク内に供給された汚染された油へ、汚染された油内の不純物の捕捉及び／又は相の分離を促進する化学ブースターを添加する工程、
−異なる相が分離されるのを待機する工程、
−流体接続を通じ、調製タンクから内容物を排出する工程、
−流体接続内の内容物の少なくとも１つの性質を検知する工程、
−検知した少なくとも１つの性質に応じて、該内容物を精製プロセスの次の工程、又は他の行き先へと輸送するように流体接続内に与えられたバルブを制御する工程、
を含む、油の精製方法であって、検知した少なくともの１つの性質が、予め定めた閾値を上回る油の含有量に相当する場合に、その内容物を精製プロセスの次の工程へ輸送するのみに、該バルブを制御する工程をさらに含む、油の精製方法。
【請求項２】
検知した少なくとも１つの性質が、前記内容物が水を含むことを示す場合に、内容物を精製プロセスの次の工程に送らないように前記バルブを制御する工程をさらに含む、請求項１に記載の方法。
【請求項３】
検知の工程が、前記内容物の誘電特性又は内容物の密度の違いを計測することをさらに含む、請求項１〜２のいずれか１つに記載の方法。
【請求項４】
調製タンクの内容物を加温する工程が、内容物が排出されるより前に与えられる、請求項１〜３のいずれか１つに記載の方法。
【請求項５】
−その中に汚染された油及び汚染された油内での不純物の捕捉及び／又は相の分離を促進するための化学ブースターが供給される、少なくとも１つの調製タンク、
−少なくとも１つの遠心分離器、
−調製タンクから出た内容物を輸送する流体接続、
−流体接続内に与えられた、少なくとも１つのリダイレクション装置であって、調製タンクからの内容物を、場合により他のタンクを経由して、遠心分離器又は他の行き先へ誘導するように配置されているバルブを含み、さらに少なくとも１つのセンサー及び少なくとも１つのセンサー並びにバルブと接続している制御系であって、少なくとも１つのセンサーからの出力に応じて、前記内容物を遠心分離器、又は他の行き先へ輸送するように該バルブを制御するために配置されている制御系を含む、リダイレクション装置、
を含む、油の精製システムであって、少なくとも１つのセンサーからの出力が、予め定めた閾値を上回る油の含有量に相当する場合に、その内容物を遠心分離器へ輸送するのみに該バルブを制御するように配置されている、油の精製システム。
【請求項６】
制御系が、少なくとも１つのセンサーからの出力が、その内容物が水であると示す場合に、内容物を遠心分離器へ輸送しないように前記バルブを制御するように配置されている、請求項５に記載のシステム。
【請求項７】
センサーが、流体接続内を通過する前記内容物の誘電特性を測定する、請求項５〜６のいずれか１つに記載のシステム。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
生体試料における抗体の存在を検出するための固体担体であって、前記固体担体が、前記固体担体上に固定された微生物抗原を含み、ここで前記微生物抗原が、ボレリア属の種の多形性球状体からなる群から調製される少なくとも１種の抗原を含み、
前記ボレリア属の種が、ボレリア  アフゼリ（Ｂｏｒｒｅｌｉａ  ａｆｚｅｌｉｉ）及びボレリア  ガリニ（Ｂｏｒｒｅｌｉａ  ｇａｒｉｎｉｉ）からなる群から選択され、かつ
前記抗原が、前記ボレリア属の種の多形性球状体の溶解物である、
前記固体担体。
【請求項２】
前記固体担体がマイクロウェルプレート又は抗原マイクロアレイである、請求項１に記載の固体担体。
【請求項３】
前記固体担体が、天然スピロヘータ型のボレリア属の種からなる群から調製される少なくとも１種の固定化抗原を更に含む、請求項１又は２に記載の固体担体。
【請求項４】
前記ボレリア属の種が、ボレリア  ブルグドルフェリ、ボレリア  アフゼリ及びボレリア  ガリニからなる群から選択される、請求項３に記載の固体担体。
【請求項５】
前記固体担体が、ボレリア  ブルグドルフェリの多形性球状体から調製される固定化抗原及び天然スピロヘータ型のボレリア  ブルグドルフェリから調製される固定化抗原を含む、請求項１〜４のいずれか一項に記載の固体担体。
【請求項６】
前記固体担体が、ボレリア  アフゼリの多形性球状体から調製される固定化抗原及び天然スピロヘータ型のボレリア  アフゼリから調製される固定化抗原を含む、請求項１〜４のいずれか一項に記載の固体担体。
【請求項７】
前記固体担体が、ボレリア  ガリニの多形性球状体から調製される固定化抗原及び天然スピロヘータ型のボレリア  ガリニから調製される固定化抗原を含む、請求項１〜４のいずれか一項に記載の固体担体。
【請求項８】
前記固体担体がボレリア  ブルグドルフェリ、ボレリア  アフゼリ及びボレリア  ガリニの多形性球状体から調製される固定化抗原を含む、請求項１〜４のいずれか一項に記載の固体担体。
【請求項９】
マイコプラズマ  ファーメンタンス（Ｍｙｃｏｐｌａｓｍａ  ｆｅｒｍｅｎｔａｎｓ）、マイコプラズマ肺炎、バルトネラ  ヘンセレ（Ｂａｒｔｏｎｅｌｌａ  ｈｅｎｓｅｌａｅ）、ウシ流産菌（Ｂｒｕｃｅｌｌａ  ａｂｏｒｔｕｓ）、ネズミバベシア（Ｂａｂｅｓｉａ  ｍｉｃｒｏｔｉ）、クラミジア  トラコマチス（Ｃｈｌａｍｙｄｉａ  ｔｒａｃｈｏｍａｔｉｓ）、クラミジア肺炎（Ｃｈｌａｍｙｄｉａ  ｐｎｅｕｍｏｎｉａ）、エーリキア  シャフェンシス（Ｅｈｒｌｉｃｈｉａ  ｃｈａｆｆｅｅｎｓｉｓ）、コクサッキーウイルスＡ１６、エプスタインバーウイルス、サイトメガロウイルス、ヒトパルボウイルスＢ１９アポトーシス小体、ダニ媒介脳炎ウイルス及び痘瘡リケッチア（Ｒｉｃｋｅｔｔｓｉａ  ａｋａｒｉ）からなる群から調製される少なくとも１種の固定化抗原を更に含む、請求項１〜８のいずれか一項に記載の固体担体。
【請求項１０】
天然スピロヘータ型のボレリア属、好ましくはボレリア  ブルグドルフェリ、ボレリア  アフゼリ及びボレリア  ガリニの種からなる群から調製される前記抗原が、前記天然スピロヘータ型の溶解物、タンパク質調製物又はペプチド調製物である、請求項１〜９のいずれか一項に記載の固体担体。
【請求項１１】
生体試料におけるダニ媒介微生物を検出する方法であって、前記方法が以下のステップ：
（ａ）固体担体に固定された微生物抗原と前記微生物抗原に結合した生体試料から生じる抗体とを含む複合体を形成するために、前記固体担体上に固定された微生物抗原を含む前記固体担体と前記生体試料を接触させるステップであって、前記微生物抗原が、ボレリア属の種の多形性球状体からなる群から調製される少なくとも１種の抗原を含み、前記固体担体が請求項１〜１０のいずれか一項に記載の固体担体であるステップ、及び
（ｂ）ステップ（ａ）で得られた複合体の存在を検出するステップであって、ボレリア属の多形性球状体から調製される抗原を含む複合体の存在が、前記生体試料におけるダニ媒介微生物の存在の徴候であるステップ
を含む、前記方法。
【請求項１２】
前記微生物抗原、前記微生物抗原と結合した前記抗体、及び抗抗体試薬の複合体を形成するために、前記固体担体を前記抗抗体試薬と接触させることによって、ステップ（ａ）で得られた複合体の存在が検出される、請求項１１に記載の方法。
【請求項１３】
前記抗抗体試薬が抗ＩｇＧ抗体、抗ＩｇＭ抗体又は抗ＩｇＡ抗体である、請求項１２に記載の方法。
【請求項１４】
前記抗抗体試薬が抗ヒトＩｇＧ抗体、抗ヒトＩｇＭ抗体又は抗ヒトＩｇＡ抗体である、請求項１２又は１３に記載の方法。
【請求項１５】
前記生体試料が血液若しくは血清試料、唾液試料、脳脊髄液試料、滑液試料又は涙試料である、請求項１１〜１４のいずれか一項に記載の方法。
【請求項１６】
請求項１〜１０のいずれか一項に記載の固体担体の、生体試料におけるダニ媒介微生物検出用診断アッセイの製造のための使用。
【請求項１７】
前記診断アッセイが患者におけるライム病の検出用である、請求項１６に記載の使用。
【請求項１８】
前記診断アッセイが患者における慢性又は持続性ライム病の検出用である、請求項１７に記載の使用。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
研究ツール、診断ツール、画像化ツールとして、生物学的基準材料（ＲＭ）として、実験対照および／または実験標準としての使用のための、少なくとも１つのＦｃ結合ポリペプチドを含む細胞外小胞（ＥＶ）を含む組成物。
【請求項２】
前記使用が、フローサイトメトリー、イメージングフローサイトメトリー、ナノ粒子トラッキング解析、ナノイメージング、共焦点顕微鏡、蛍光顕微鏡、動的光散乱、電子顕微鏡、発光に基づく検出、蛍光相関分光法、蛍光共鳴エネルギー移動（ＦＲＥＴ）に基づく技術、磁気、蛍光、および／または浮力に基づく標識に基づく正もしくは負の選択技術、粒子の密度、電荷、もしくはサイズに基づく正もしくは負の選択技術、または任意のそれらの組み合わせにおけるものである、請求項１に記載の組成物。
【請求項３】
前記少なくとも１つのＦｃ結合ポリペプチドが少なくとも１つのエキソソームポリペプチドと共に融合タンパク質の一部を形成する、請求項１または２に記載の組成物。
【請求項４】
前記Ｆｃ結合ポリペプチドがＦｃ含有タンパク質のＦｃドメインに結合する、請求項１〜３のいずれか１項に記載の組成物。
【請求項５】
Ｆｃ含有タンパク質が抗体である、請求項２〜４のいずれか１項に記載の組成物。
【請求項６】
Ｆｃ含有タンパク質が少なくとも１つのフルオロフォア、少なくとも１つの放射性標識、少なくとも１つのＰＥＴリガンド、少なくとも１つのＭＲＩ剤、ナノ粒子、無機化合物、または任意の他の検出部分に結合している、請求項２〜５のいずれか１項に記載の組成物。
【請求項７】
前記使用が、フローサイトメトリー、ナノ粒子トラッキング解析、および／または動的光散乱のための生物学的ＲＭとしてのものである、請求項１〜６のいずれか１項に記載の組成物。
【請求項８】
前記ＲＭが、補償、較正、標準化、検証、または任意の他の同様の目的のために使用される、請求項７に記載の組成物。
【請求項９】
前記ＥＶ自体が、少なくとも１つの検出部分を含む、請求項１〜８のいずれか１項に記載の組成物。
【請求項１０】
前記検出部分が、少なくとも１つのフルオロフォア、少なくとも１つの染料、少なくとも１つの蛍光ポリペプチド、少なくとも１つの放射性標識、少なくとも１つのＰＥＴ剤、少なくとも１つのＭＲＩ剤、無機化合物、有機化合物、または任意の他の検出部分を含む群から選択される、請求項９に記載の組成物。
【請求項１１】
Ｆｃ含有タンパク質を標的細胞に送達する、インビトロ、および／またはエクスビボの方法であって、（ｉ）少なくとも１つのＦｃ結合ポリペプチドを含むＥＶを提供すること、（ｉｉ）前記Ｆｃ結合ポリペプチドを前記Ｆｃ含有タンパク質に結合させること、（ｉｉｉ）標的細胞を、Ｆｃ結合ポリペプチドにＦｃ含有タンパク質を結合させた前記ＥＶに接触させること、を含む方法。
【請求項１２】
ＥＶを含む検出キットであって、前記ＥＶが少なくとも１つのＦｃ結合ポリペプチドおよび少なくとも１つのエキソソームポリペプチドを含む少なくとも１つの融合タンパク質を含む、検出キット。
【請求項１３】
前記少なくとも１つのＦｃ結合ポリペプチドがＦｃ含有タンパク質のＦｃドメインに結合する、請求項１２に記載の検出キット。
【請求項１４】
前記Ｆｃ含有タンパク質が少なくとも１つのフルオロフォア、少なくとも１つの放射性標識、少なくとも１つのＰＥＴリガンド、少なくとも１つのＭＲＩ剤、ナノ粒子、無機化合物、または任意の他の検出部分に結合している、請求項１２又は１３に記載の検出キット。
【請求項１５】
細胞外または細胞内の生体分子の検出における使用のための、請求項１２〜１４のいずれか１項に記載の検出キット。
【請求項１６】
前記ＥＶ自体が、任意選択で、少なくとも１つの蛍光ポリペプチド等の少なくとも１つのフルオロフォア、生物発光を産生する少なくとも１つのポリペプチド、少なくとも１つの放射性標識、少なくとも１つのＰＥＴ剤、少なくとも１つのＭＲＩ剤、ナノ粒子、無機化合物、または任意の他の検出部分から選択される、少なくとも１つの追加の検出部分を含む、請求項１２〜１５のいずれか１項に記載の検出キット。
【請求項１７】
フローサイトメトリー、ナノ粒子トラッキング解析、ナノイメージング、共焦点顕微鏡、蛍光顕微鏡、動的光散乱、電子顕微鏡、発光に基づく検出、蛍光相関分光法、蛍光共鳴エネルギー移動（ＦＲＥＴ）に基づく技術、磁気、蛍光、および／または浮力に基づく標識に基づく正もしくは負の選択技術、密度、電荷、もしくはサイズに基づく正もしくは負の選択技術、またはそれらの任意の組み合わせにおける使用のための、請求項１２〜１６のいずれか１項に記載の検出キット。
【請求項１８】
（ｉ）少なくとも１つのＦｃ結合ポリペプチドを含むＥＶ、および（ｉｉ）少なくとも１つのＦｃ含有タンパク質を含むパーツのキット。
【請求項１９】
前記少なくとも１つのＦｃ結合ポリペプチドが少なくとも１つのエキソソームポリペプチドと共に融合タンパク質の一部を形成する、請求項１８に記載のパーツのキット。
【請求項２０】
前記Ｆｃ含有タンパク質が少なくとも１つのフルオロフォア、少なくとも１つの放射性標識、少なくとも１つのＰＥＴ剤、少なくとも１つのＭＲＩ剤、ナノ粒子、無機化合物、または任意の他の検出部分に結合している、請求項１８または１９に記載のパーツのキット。
【請求項２１】
前記ＥＶが、少なくとも１つのフルオロフォア、少なくとも１つの放射性標識、少なくとも１つのＰＥＴリガンド、少なくとも１つのＭＲＩ剤、ナノ粒子、無機化合物、または任意の他の検出部分から選択される少なくとも１つの追加の検出部分を含む、請求項１８〜２０のいずれか１項に記載のパーツのキット。
【請求項２２】
（ｉ）少なくとも１つのＦｃ結合ポリペプチドを含むＥＶと（ｉｉ）Ｆｃ含有タンパク質とのナノ粒子複合体。
【請求項２３】
前記少なくとも１つのＦｃ結合ポリペプチドが少なくとも１つのエキソソームポリペプチドと共に融合タンパク質の一部を形成する、請求項２２に記載のナノ粒子複合体。
【請求項２４】
前記Ｆｃ含有タンパク質が少なくとも１つのフルオロフォア、少なくとも１つの放射性標識、少なくとも１つのＰＥＴ剤、少なくとも１つのＭＲＩ剤、ナノ粒子、無機化合物、または任意の他の検出部分に結合している、請求項２２または２３に記載のナノ粒子複合体。
【請求項２５】
フローサイトメトリー、ナノ粒子トラッキング解析、ナノイメージング、共焦点顕微鏡、蛍光顕微鏡、動的光散乱、電子顕微鏡、発光に基づく検出、蛍光相関分光法、蛍光共鳴エネルギー移動（ＦＲＥＴ）に基づく技術、磁気、蛍光、および／または浮力に基づく標識に基づく正もしくは負の選択技術、密度、電荷、もしくはサイズに基づく正もしくは負の選択技術における、研究ツール、画像化ツール、診断ツール、画像化ツール、基準材料、検出キットとして、かつ／または、Ｆｃ含有タンパク質のインビトロ、インビボ、および／もしくはエクスビボの送達のための使用のための、請求項２２〜２４のいずれか１項に記載のナノ粒子複合体。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
表面から核汚染を除去する方法であって、電解質として硝酸を電気化学的酸化分解処理と組み合わせて使用する電気酸洗い処理において、一方または他方の意味で正味の時間平均電流の流れを有する非対称交流波形は、前記表面に印加され、前記電解質は、２つの処理の間で再循環されて廃液流を生成する、方法。
【請求項２】
前記電流は、前記交流波形の周波数よりも低い周波数で周期的に反転される、請求項１に記載の核汚染を除去する方法。
【請求項３】
前記電流の周波数は、５Ｈｚと１００Ｈｚとの間である、請求項１または２に記載の核汚染を除去する方法。
【請求項４】
硝酸電解質は、塩酸、クエン酸、シュウ酸、およびエチレンジアミン四酢酸を含有する群から選択される塩化物またはキレート種を含む、請求項１から３のいずれか一項に記載の核汚染を除去する方法。
【請求項５】
前記廃液流を電気化学的に処理して塩化物および有機添加剤を除去するステップをさらに含む、請求項１から４のいずれか一項に記載の核汚染を除去する方法。
【誤訳訂正書】
【提出日】令和2年6月24日(2020.6.24)
【誤訳訂正１】
【訂正対象書類名】明細書
【訂正対象項目名】００２８
【訂正方法】変更
【訂正の内容】
【００２８】
他の例として、センサ３１８ｂは、ファスナー３２１に隣接して配置されてよい。センサ３１８ｂは、導電糸であって、又は、導電糸を含んでよい。導電糸は、直線状の構成又は他の構成であってよい。したがって、引き手３００は、センサ３１８ｂの長さに沿って動かされてよく、センサ３１８ｂの電気抵抗の測定に影響を与えることがある。抵抗は、ファスナー３２１に沿った引き手３００の位置を示す信号を代表してよい。例えば、抵抗又は抵抗内の変化は、ユーザー機器１０２（図１）のような機器に送信されるデータバーストによって表現され得る。センサ３１８ｂの配置及び設定は知られていてよいため、センサ３１８ｂのシグナリングは、抵抗曲線又はプロットにマッピングされることができ、引き手３００の移動割合及び／又は位置を代表してよい。プロット又は曲線に沿った様々なデータの点は、位置、移動及び／又は移動速度のような引き手３００の特徴を決定するための閾値として使用されてよい。例えば、電気的な値（例：インピーダンス、抵抗、電圧、等）のテーブルは、引き手３００の様々な特徴の状態を表現するために生成されてよい。したがって、センサ３１８に対する電気的な特徴の後続の測定は、テーブルから引き手３００の特徴を推定するために、値のテーブルと比較されてよい。
【誤訳訂正２】
【訂正対象書類名】特許請求の範囲
【訂正対象項目名】全文
【訂正方法】変更
【訂正の内容】
【特許請求の範囲】
【請求項１】
アパレルのアイテムと関連したファスナーを管理するための方法であって、
複数のセンサの一つ以上で生成された電流を示す情報を受信するステップであって、
前記複数のセンサのそれぞれは、アパレルのアイテムと関連したファスナーに隣接して配置され、
前記複数のセンサのそれぞれは、別々であり、他のセンサと離れて配置されている、ステップと、
少なくとも前記受信した情報に基づいて、前記ファスナーの特徴を決定するステップであって、前記特徴を決定するステップは、前記ファスナーの少なくとも一部の移動割合及び位置の少なくとも一つを示す曲線を決定するステップを含む、ステップと、
少なくとも前記ファスナーの前記特徴に基づいて、アパレルの前記アイテムの着用者に応答を提供するステップと、を含む、方法。
【請求項２】
前記受信した情報は、前記センサと関連した識別子を含む、請求項１に記載の方法。
【請求項３】
前記センサは、インダクタを含む、請求項１又は２に記載の方法。
【請求項４】
前記センサは、導電糸を含む、請求項１又は２に記載の方法。
【請求項５】
前記ファスナーの前記特徴を決定するステップは、前記情報を値のテーブルと比較するステップを含む、請求項１〜４のいずれか一項に記載の方法。
【請求項６】
前記特徴は、前記ファスナーの位置又は移動を含む、請求項１〜５のいずれか一項に記載の方法。
【請求項７】
前記ファスナーは、引き手を含むジッパータイプのファスナーを含み、
前記特徴は、前記引き手の位置又は移動を含む、請求項１〜６のいずれか一項に記載の方法。
【請求項８】
前記着用者への前記応答は、ファスナープロファイル、前記着用者への命令、アパレルの前記アイテムを交換する提案若しくはアパレルの提案されたアイテム、又はそれらの組み合わせの前記着用者への通知を示す、請求項１〜７のいずれか一項に記載の方法。
【請求項９】
前記応答は、前記ファスナーの前記特徴の通知を含む、請求項１に記載の方法。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
システムであって、
プロセッサと、
ディスプレイと、
を含み、
前記プロセッサは、
患者の非瞬間生理学的測定中に取得され、診断可能化データとして識別されている１又は２以上の第１の部分と診断可能化データとして識別されていない少なくとも１つの第２の部分とを含む生理学的データを取得し、かつ
前記取得された生理学的データ内で医療実務者が特定の時点にナビゲートすることを可能にするプログレスバーを含み、前記プログラスバー上に前記取得された生理学的データ内の対応する時点に関連する前記第１の部分のうちの少なくとも１つの対応する第１の部分の場所の少なくとも１つの表示を含み、該ユーザが該場所を識別することを可能にするユーザインタフェースを前記ディスプレイ上に表示する、
ように構成される、
ことを特徴とするシステム。
【請求項２】
前記生理学的データは、長さが少なくとも１０秒の音声又は映像記録であり、前記表示は、前記少なくとも１つの対応する第１の部分の開始場所の第１のマーキングを含むことを特徴とする請求項１に記載のシステム。
【請求項３】
前記表示は、前記少なくとも１つの対応する第１の部分の終了場所の第２のマーキングを含むことを特徴とする請求項２に記載のシステム。
【請求項４】
前記生理学的測定は、前記医療実務者ではないユーザによって手持ち式診断デバイス内に含まれたセンサを用いて行われ、
前記生理学的データは、第１の地理的場所で行われる前記生理学的測定中に取得され、かつ該第１の地理的場所から遠隔である前記医療実務者の第２の地理的場所に送信される、
ことを特徴とする請求項１に記載のシステム。
【請求項５】
前記プロセッサは、
前記生理学的データ内の関心領域の表示を前記医療実務者から受信し、かつ
前記生理学的データと前記関心領域の前記表示とを第２の医療実務者によって作動される遠隔ワークステーションに送り、それによって該遠隔ワークステーションが該生理学的データと該関心領域の該表示とを分析目的で該第２の医療実務者に提示することを可能にする、
ように更に構成される、
ことを特徴とする請求項１に記載のシステム。
【請求項６】
前記プロセッサは、ナビゲーションユーザインタフェース（ＵＩ）要素を前記ディスプレイ上に表示するように更に構成され、
前記ナビゲーションＵＩ要素の起動時に、システムが、前記第１の位置のうちの次の又は以前の第１の位置まで自動的にナビゲートし、それによって前記第２の部分を飛び越すことを可能にする、
ことを特徴とする請求項１に記載のシステム。
【請求項７】
患者の非瞬間生理学的測定中に取得され、診断可能化データとして識別されている１又は２以上の第１の部分と診断可能化データとして識別されていない少なくとも１つの第２の部分とを含む生理学的データをプロセッサによって取得する段階と、
前記取得された生理学的データ内で医療実務者が特定の時点にナビゲートすることを可能にするプログレスバーを含み、前記プログラスバー上に前記取得された生理学的データ内の対応する時点に関連する前記第１の部分のうちの少なくとも１つの対応する第１の部分の場所の少なくとも１つの表示を含み、該ユーザが該場所を識別することを可能にするユーザインタフェースを前記プロセッサによってディスプレイ上に表示する段階と、
を含むことを特徴とする方法。
【請求項８】
前記生理学的データは、長さが少なくとも１０秒の音声又は映像記録であり、前記表示は、前記少なくとも１つの対応する第１の部分の開始場所の第１のマーキングを含むことを特徴とする請求項７に記載の方法。
【請求項９】
前記表示は、前記少なくとも１つの対応する第１の部分の終了場所の第２のマーキングを含むことを特徴とする請求項８に記載の方法。
【請求項１０】
前記生理学的測定は、前記医療実務者ではないユーザによって手持ち式診断デバイス内に含まれたセンサを用いて行われ、
前記生理学的データは、第１の地理的場所で行われる前記生理学的測定中に取得され、かつ該第１の地理的場所から遠隔である前記医療実務者の第２の地理的場所に送信される
ことを特徴とする請求項７に記載の方法。
【請求項１１】
前記生理学的データ内の関心領域の表示を前記医療実務者から前記プロセッサによって受信する段階と、
前記生理学的データと前記関心領域の前記表示とを第２の医療実務者によって作動される遠隔ワークステーションに前記プロセッサによって送り、それによって該遠隔ワークステーションが該生理学的データと該関心領域の該表示とを分析目的で該第２の医療実務者に提示することを可能にする段階と、
を更に含むことを特徴とする請求項７に記載の方法。
【請求項１２】
ナビゲーションユーザインタフェース（ＵＩ）要素を前記ディスプレイ上に表示する段階を更に含み、
前記ナビゲーションＵＩ要素の起動時に、前記プロセッサは、前記第１の位置のうちの次の又は以前の第１の位置に自動的にナビゲートし、それによって前記第２の部分を飛び越すことを可能にする、
ことを特徴とする請求項７に記載の方法。
【請求項１３】
患者の非瞬間生理学的測定中に取得され、診断可能化データとして識別されている１又は２以上の第１の部分と診断可能化データとして識別されていない少なくとも１つの第２の部分とを含む生理学的データを取得する段階と、
前記取得された生理学的データ内で医療実務者が特定の時点にナビゲートすることを可能にするプログレスバーを含み、前記プログラスバー上に前記取得された生理学的データ内の対応する時点に関連する前記第１の部分のうちの少なくとも１つの対応する第１の部分の場所の少なくとも１つの表示を含み、該ユーザが該場所を識別することを可能にするユーザインタフェースをディスプレイ上に表示する段階と、
を含む方法を実施するように少なくとも１つのプロセッサによって実行可能なコンピュータ可読プログラムコードが具現化された非一時的コンピュータ可読ストレージ媒体。
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
少なくとも１つの検体を潜在的に含有するサンプルのデジタル計数分析方法であって、サンプルは、複数の個別の捕獲部位を有する固相と接触しており、各部位は、少なくとも１つの検体を捕獲可能であり、
該方法は、同じ検体が標識剤で標識化または再標識化される少なくとも２つの検出サイクルを含み、各検出サイクルは、
ａ）捕獲され標識化または再標識化された検体からの信号を起動するステップと、
ｂ）捕獲され標識化または再標識化された検体からの信号を示す、捕獲部位の数および位置の記録ステップと、
ｃ）追加の検出サイクルが行われる前に、信号を非活性化するステップと、を含み、
該信号の非活性化ステップは、
ｉ）捕獲された検体から標識剤を分離して除去するステップ、
ｉｉ）標識剤が信号を促進する能力を非活性化させるステップ、または
ｉｉｉ）  （ｉ）および（ｉｉ）の組合せ、から選択される、方法。
【請求項２】
サンプルおよび複数の個別の捕獲部位を有する固相は、少なくとも１つの検体の捕獲前または捕獲中に区画化される、請求項１に記載の方法。
【請求項３】
捕獲された検体および標識剤は、少なくとも１つの検体の標識化の前または標識化の間に区画化される、請求項１に記載の方法。
【請求項４】
検体は、ステップａ）の前に各検出サイクルにおける標識化ステップにおいて標識剤を添加することによって、標識化される、請求項１〜３のいずれかに記載の方法。
【請求項５】
固相上の検体の捕獲前または捕獲中に標識化ステップにおいて標識剤を添加することによって、捕獲された検体が標識化され、ステップｃ）は、追加の検出サイクルが行われる前に行われ、続いて再標識化ステップが行われ、捕獲された検体は標識剤を添加することによって標識化される、請求項１〜４のいずれかに記載の方法。
【請求項６】
捕獲され標識化された検体は、区画化され、少なくとも１つの検体を含む液体区画を生成する、請求項１〜５のいずれかに記載の方法。
【請求項７】
サンプルは、ターゲット検体および非ターゲット化合物を含み、または潜在的に含み、ターゲット検体は、捕獲部位によって捕獲効率Ｃ１で捕獲され、非ターゲット化合物は、捕獲部位によって捕獲効率Ｃ２（Ｃ１≧Ｃ２）で捕獲され、ターゲット検体は、第１標識剤によって標識効率Ｌ１で標識化され、非ターゲット化合物は、第１標識剤によって標識効率Ｌ２（Ｌ１≧Ｌ２）で標識化され、検出サイクル数ＮＣは、下記の式で示す比αが、
【数１】
2019523419.tif 000001
１〜１０の間、好ましくは１０〜１００の間、好ましくは１００〜１０００の間、好ましくは１０００〜１００００の間、好ましくは１０００〜１００００の間、好ましくは１００００〜１０００００の間、好ましくは１０００００より大きいように調整され、そして各検出サイクルは、標識化ステップにおいて第１標識剤を適用する、請求項１〜６のいずれかに記載の方法。
【請求項８】
該方法は、偽ポジティブ検出サイクルを含み、標識化ステップにおいて第１標識剤の代わりに第２標識剤が適用され、非ターゲット化合物は、標識効率Ｌ１で第２標識剤によって標識化され、ターゲット検体は、第２標識剤によって標識効率Ｌ２（Ｌ１≧Ｌ２）で標識化される、請求項７に記載の方法。
【請求項９】
該方法は、偽ポジティブ検出サイクルを含み、該偽ポジティブ検出サイクルは、いずれの標識化ステップを含まない、請求項１〜８のいずれかに記載の方法。
【請求項１０】
サンプルから少なくとも１つの検体の捕獲は、検体に特異的な１つ以上の捕獲プローブを使用することによるものであり、捕獲プローブは固相に付着されている、請求項１〜９のいずれかに記載の方法。
【請求項１１】
標識剤は、捕獲された検体からの分離によって非活性化され、洗浄によって除去される、請求項１〜１０のいずれかに記載の方法。
【請求項１２】
捕獲した検体は、捕獲に続いて、捕獲プローブと共有結合する、請求項１〜１１のいずれかに記載の方法。
【請求項１３】
サンプルの単一分子デジタル計数分析において偽ポジティブ検出及び／又はバックグラウンドノイズの低減のための、請求項１〜１２のいずれかに記載の方法。
【請求項１４】
請求項１〜１３のいずれかに記載の方法における、複数の個別の捕獲部位を有する固相の使用であって、各部位は、少なくとも１つの検体を捕獲可能である、使用。
【請求項１５】
請求項１〜１３のいずれかに記載の方法における、複数の個別の捕獲部位を有する固相の使用であって、各部位は、デジタル計数分析における計数誤差を減少させるために、例えば、偽ポジティブ検出及び／又はバックグラウンドノイズの低減のために、少なくとも１つの検体を捕獲可能である、使用。